(57)【要約】  【課題】  利用者が楽曲を聞く場合に楽曲の音色を容易に変更することができる音響機器を提供する。  【解決手段】  記憶媒体２ａ、２ｂ、２ｃ、２ｄに記憶されている楽曲データと補正用データとを取得する複数のデータ取得部３ａ、３ｂ、３ｃ、３ｄと、音響処理手段４と、順序情報入力部５と、楽曲データによって表わされる楽曲を再生する楽曲再生手段６とを備え、音響処理手段４は、取得した補正用データに基づいて楽曲データを補正する。【選択図】  図１
2006094163.tif 000002
【特許請求の範囲】
【請求項１】
楽曲を表わす楽曲データと前記楽曲データを補正するための補正用データとが夫々蓄積された複数の記憶媒体から、前記楽曲データと補正用データとを夫々取得する複数のデータ取得部と、
前記各データ取得部によって取得された前記複数の楽曲データと補正用データの中から楽曲データと補正用データとを選択する選択部と、
前記選択部により選択された補正用データに基づいて、前記選択部により選択された楽曲データが表わす楽曲の音色を補正する音色補正部と、
前記音色補正部により補正された前記楽曲データを再生する楽曲再生手段とを備えるようにしたことを特徴とする音響機器。
【請求項２】
前記楽曲データの再生順序を表わす順序情報を記憶する順序情報記憶部と、前記順序情報記憶部に前記順序情報を入力する順序情報入力部とを備え、
前記選択部が、前記順序情報に従って前記楽曲データと補正用データとを選択するようにしたことを特徴とする請求項１に記載の音響機器。
【請求項３】
前記楽曲再生手段によって再生される楽曲の音場を補正する音場補正部と、前記複数のデータ取得部が夫々設置された位置を表わす位置情報と、前記位置情報を記憶する位置情報記憶部とを備え、
前記音場補正部が、前記位置情報記憶部に記憶された位置情報に基づいて、再生される楽曲の音場を補正することを特徴とする請求項１または請求項２に記載の音響機器。
【請求項４】
請求項１乃至請求項３の何れか１項に記載の音響機器は、車両に搭載されることを特徴とする車載音響機器。
【請求項５】
前記音場補正部は、前記データ取得部の設置された位置に基づいて前記楽曲データの表わす楽曲の音場を補正することを特徴とする請求項４に記載の車載音響機器。
【請求項６】
請求項１乃至請求項５の何れかに記載の音響機器を備えた車両。
【発明の詳細な説明】
【技術分野】
【０００１】
本発明は、音響機器に関し、詳しくは車両に搭載される車載音響機器に関する。
【背景技術】
【０００２】
従来の音響機器は、図３に示すように、コンパクトディスク（以下、単にＣＤという）やミニディスク（以下、単にＭＤという）などの記憶媒体２２から取得した楽曲データを補正する音場補正手段２３と、複数の補正用データを記憶するデータ記憶手段２４と、補正用データを選択する選択手段２５と、音場補正手段で補正された楽曲データをディジタルアナログ変換したり増幅したりする出力手段２６と、楽曲データによって表わされる楽曲を再生する楽曲再生手段２７とを備えている。
【０００３】
このような従来の音響機器２１においては、例えば、楽曲再生手段２７が取付けられる車両の車種や位置に応じて選択手段２５がデータ記憶手段２４から補正用データを選択し、音場補正手段２３が、選択された補正用データに基づいて楽曲データを補正するようになっている。従って、楽曲再生手段２７によって再生される楽曲の音色が、車両の形状や大きさにかかわらず一定に保たれるようになっている。ここで、利用者が、楽曲再生手段２７によって再生される楽曲の音色を変更させる場合、利用者は音響機器２１のスイッチなどの入力手段によって音響機器２１の設定を変更するようになっている（例えば、特許文献１参照）。
【特許文献１】特開平８−１６３６８８号公報
【発明の開示】
【発明が解決しようとする課題】
【０００４】
しかしながら、このような従来の音響機器においては、再生される楽曲の音色の好みが搭乗者ごとに異なる場合、音色の設定を変更する手間がかかるという問題があった。
【０００５】
本発明は、従来の問題を解決するためになされたもので、車両の搭乗者がどの座席に着席しても、楽曲再生手段によって再生される楽曲の音色を容易に変更することができる音響機器を提供することを目的とする。
【課題を解決するための手段】
【０００６】
本発明の音響機器は、楽曲を表わす楽曲データと前記楽曲データを補正するための補正用データとが夫々蓄積された複数の記憶媒体から、前記楽曲データと補正用データとを夫々取得する複数のデータ取得部と、前記各データ取得部によって取得された前記複数の楽曲データと補正用データの中から楽曲データと補正用データとを選択する選択部と、前記選択部により選択された補正用データに基づいて、前記選択部により選択された楽曲データが表わす楽曲の音色を補正する音色補正部と、前記音色補正部により補正された前記楽曲データを再生する楽曲再生手段とを備えるようにした構成を有している。
【０００７】
この構成により、本発明の音響機器は、選択部により選択された楽曲データを、同一の記憶媒体に記憶される補正用データに基づいて補正するので、利用者が、携帯する記憶媒体に楽曲データと補正用データとを予め記憶させておくことにより、好みの音色で楽曲を聴取することができる。
【０００８】
さらに、本発明の音響機器は、楽曲データの再生順序を表わす順序情報を記憶する順序情報記憶部と、前記順序情報記憶部に前記順序情報を入力する順序情報入力部とを備え、前記選択部が、前記順序情報に従って前記楽曲データと補正用データとを選択するようにした構成を有している。
【０００９】
この構成により、本発明の音響機器は、順序情報が利用者により入力されると、入力された順序情報の表わす順序に従って選択部が楽曲データを選択するので、楽曲再生手段が、入力された順序情報の表わす順序に従って楽曲の再生をすることができる。
【００１０】
また、本発明の音響機器は、前記楽曲再生手段によって再生される楽曲の音場を補正する音場補正部と、前記複数のデータ取得部が夫々設置された位置を表わす位置情報と、前記位置情報を記憶する位置情報記憶部とを備え、前記音場補正部が、前記位置情報記憶部に記憶された位置情報に基づいて、再生される楽曲の音場を補正するようにした構成を有している。
【００１１】
この構成により、本発明の音響機器は、音場補正部が、楽曲データを取得するデータ取得部の位置に応じて楽曲再生手段で再生される楽曲の音場を調節するので、利用者は、どの位置に設置されたデータ取得部を利用しても音場が調節された状態で楽曲を聴取することができる。
【００１２】
さらに、本発明の音響機器は、車両に搭載される構成を有している。
【００１３】
この構成により、各データ取得部を、車両の内部又は各座席に装備することができ、音響機器の利用者は、車両に搭乗したときでも、携帯する記憶媒体に楽曲データと補正用データとを予め記憶させておくことにより、好みの音色で楽曲を聴取することができる。
【００１４】
さらに、本発明の音響機器及び車載音響機器の前記音場補正部は、前記データ取得部の設置された位置に基づいて前記楽曲データの表わす楽曲の音場を補正するようにした構成を有している。
【００１５】
この構成により、本発明の音響機器は、楽曲再生手段により再生される楽曲の音場を、利用者の着座位置に合うよう補正することができる。
【００１６】
さらに、本発明の音響機器は、車両に備えることが望ましい。本発明の音響機器を車両に備えることで、車両室内で車内環境や音場の影響を考慮することができ、簡単にユーザーの好きな条件の音場で楽曲を再生することができる。また、音響機器を車両に備えるのではなく、本発明の音響機器に合わせた車両を設計することで、どの座席に座った場合でも、利用者に対して最適な音場を提供することができる。
【発明の効果】
【００１７】
本発明は、楽曲を表わす楽曲データと前記楽曲データを補正するための補正用データとが夫々蓄積された複数の記憶媒体から、前記楽曲データと補正用データとを夫々取得する複数のデータ取得部と、前記複数のデータ取得部に取得された前記複数の楽曲データと補正用データの中から楽曲データと補正用データとを選択する選択部と、前記選択部により選択された補正用データに基づいて、前記選択部により選択された楽曲データが表わす楽曲の音色を補正する音色補正部と、前記音色補正部により補正された前記楽曲データの表わす楽曲を再生する楽曲再生手段とを備えることにより、楽曲データと補正用データとが記憶された記憶媒体がデータ取得部に挿入されると、楽曲再生手段によって再生される楽曲の音色を容易に変更することができる。
【発明を実施するための最良の形態】
【００１８】
以下、本発明の実施の形態の音響機器について、図面を用いて説明する。
【００１９】
図１に示すように、音響機器は、記憶媒体２ａ、２ｂ、２ｃ、２ｄに記憶されている楽曲データと補正用データとを取得する複数のデータ取得部３ａ、３ｂ、３ｃ、３ｄと、順序情報入力部５と、楽曲データによって表わされる楽曲を再生する楽曲再生手段６と、複数のデータ取得部３ａ、３ｂ、３ｃ、３ｄによって取得された楽曲データを選択する選択部７と、選択部７が楽曲データを選択する順序を表わす順序情報を記憶する順序情報記憶部８と、取得した補正用データに基づいて楽曲データを補正する音色補正部９と、判定部１０と、補正された楽曲データを楽曲再生手段６に出力するデータ出力部１１とを備えている。
【００２０】
ここで、選択部７、順序情報記憶部８、音色補正部９、判定部１０とデータ出力部１１は、全体として音響処理手段４を構成している。
【００２１】
ここで、順序情報入力部５は、キーボード、マウス、タッチパネル、又はリモコン等によって構成され、順序情報記憶部８は、メモリ等によって構成されている。順序情報は、楽曲再生手段によって再生される楽曲の順序を表わすようになっており、順序情報入力部５で入力された順序情報が、順序情報記憶部８に記憶されるように構成されている。ここで、順序情報が、楽曲の順序の代わりに記憶媒体の順序を表わすようにし、選択部が、順序情報が表わす記憶媒体から楽曲データを選択するように構成してもよい。
【００２２】
選択部７は、選択回路や、中央演算処理装置（以下、単にＣＰＵという）またはマイクロコンピュータ等によって構成されている。
【００２３】
判定部１０は、ＣＰＵまたはマイクロコンピュータ等によって構成されている。
【００２４】
音色補正部９は、イコライザなどによって構成されている。また、データ出力部１１は、ディジタルアナログコンバータやアンプ等によって構成されている。
【００２５】
データ取得部３ａ、３ｂ、３ｃ、３ｄは、楽曲データ及び補正用データの記憶された記憶媒体が挿入されたとき、その記憶媒体から楽曲データ及び補正用データを取得するようになっている。データ取得部３ａ、３ｂ、３ｃ、３ｄは、車両の搭乗者がどの座席に着席しても使用できるよう、夫々の座席又は座席の周辺に設けられている。車両に複数の搭乗者が搭乗する場合、記憶媒体を携帯する夫々の搭乗者は、着席した座席の周辺に設置されたデータ取得部に、携帯する記憶媒体を夫々挿入するようになっている。ここで、記憶媒体は、例えば、デジタル多用途ディスク（以下、単にＤＶＤという）、音楽ＣＤ、音楽ＭＤ、および半導体メモリなどの、楽曲データを蓄積する媒体である。
【００２６】
補正用データとは、楽曲再生手段６から再生される楽曲の音色が利用者の好みの音色になるよう、利用者が予めイコライザによる楽曲データの補正方法を定めたデータのことをいう。
【００２７】
この補正用データは、再生される楽曲データと共に記憶媒体に記憶されている。
【００２８】
なお、補正用データは、イコライザが楽曲の一定の周波数帯域ごとに音色を補正するようなデータでもよく、また、「ジャズ風」、「ロック風」、「ポップス風」など楽曲の音色を補正する補正パターンを有するデータでもよく、さらに、イコライザが、補正用データに対応する補正パターンに基づいて音色を補正するように構成してもよい。
【００２９】
また、音響機器１の各データ取得部３ａ、３ｂ、３ｃ、３ｄは、車両のどの座席の周辺に設置されているかを表わす位置情報を記憶する位置情報記憶部１３と、位置情報記憶部１３の記憶する位置情報に基づいて楽曲を補正する音場補正部１２とを備えている。ここで、位置情報記憶部１３は、メモリ等によって構成される。また、音場補正部１２は、ディジタルシグナルプロセッサやイコライザ等によって構成される。例えば、音響処理手段４は、運転席の周辺に設置されたデータ取得部を介して楽曲データを取得した場合、楽曲再生手段６から出力される楽曲の音場が、運転席付近において最適になるよう、楽曲データを補正し楽曲再生手段６から出力される楽曲の位相を調節するようになっている。
【００３０】
ここで、データ取得部３ａ、３ｂ、３ｃ、３ｄが車両のどの座席の周辺に設置されているかを示す位置データを予め記憶するメモリを有し、音響処理手段４が、夫々のデータ取得部３ａ、３ｂ、３ｃ、３ｄのメモリから位置データを取得して位置情報記憶部１３に記憶させることによって、音場補正部１２が位置情報記憶部１３の記憶した位置情報に基づいて楽曲データを補正するようにしてもよい。また、位置情報記憶部１３が予め夫々のデータ取得部３ａ、３ｂ、３ｃ、３ｄの設置された位置を表わす位置情報と夫々のデータ取得部３ａ、３ｂ、３ｃ、３ｄを識別する識別情報とを記憶すると共に、データ取得部３ａ、３ｂ、３ｃ、３ｄに識別情報を予め記憶するメモリを備え、音響処理手段４がデータ取得部３ａ、３ｂ、３ｃ、３ｄから識別情報を取得し、位置情報記憶部１３に記憶された識別情報と比較することによって、データ取得部３ａ、３ｂ、３ｃ、３ｄの設置された位置を判断するように構成してもよい。
【００３１】
楽曲再生手段６は、スピーカなどの拡声器によって構成されている。
【００３２】
なお、本実施の形態は、楽曲再生手段を１つ設置する場合に限定されず、設置される楽曲再生手段の数が車両の大きさ、定員、または再生される楽曲のチャンネル数に基づいて定まるようにしてもよい。
【００３３】
また、楽曲再生手段６が指向性の高い複数のスピーカによって構成される場合、音色補正部９は、夫々の楽曲再生手段によって再生される楽曲の音色が夫々の搭乗者の好みに夫々対応するよう楽曲データを補正するようになっていてもよい。
【００３４】
例えば、第１の搭乗者が第１のデータ取得部に挿入する第１の記憶媒体には、第１の楽曲再生手段によって再生される楽曲の音色をジャズ風にするようにイコライザを設定する第１の補正用データが記憶されており、一方、第２の搭乗者が第２のデータ取得部に挿入する第２の記憶媒体には、第２の楽曲再生手段によって再生される楽曲の音色をロック風にするようにイコライザを設定する第２の補正用データが記憶されていたとする。この場合、音色補正部９が、第１の記憶媒体の第１の補正用データと第２の記憶媒体の第２の補正用データとに基づいて、楽曲データを第１の補正用データと第２の補正用データとで夫々補正するようになっている。ここで、データ出力部１１が、第１の補正用データで補正された楽曲データを第１の楽曲再生手段に出力し、第２の補正用データで補正された楽曲データを第２の楽曲再生手段に出力することによって、第１の搭乗者にはジャズ風の音色で聞こえ、第２の搭乗者にはロック風の音色で聞こえるようになっている。
【００３５】
以上のように構成された音響機器１について、図２を用いてその動作を説明する。
【００３６】
まず、記憶媒体２ａ、２ｂ、２ｃ、２ｄが、各座席の周辺に設置されたデータ取得部３ａ、３ｂ、３ｃ、３ｄに夫々挿入される（ステップＳ１）。
【００３７】
次いで、選択部７により選択される楽曲データの順序を表わす順序情報が、順序情報入力部５を介して順序情報記憶部８の順序情報テーブルに入力される（ステップＳ２）。
【００３８】
この時、順序情報が、選択される楽曲データを記憶した記憶媒体の順序を表わすようにしてもよい。
【００３９】
次に、選択部７が、順序情報記憶部８に記憶された順序情報テーブルに基づいて、楽曲データと、該楽曲データと同一の記憶媒体に記憶された補正用データとをデータ取得部に取得する（ステップＳ３）。
【００４０】
そして、音色補正部９が、データ取得部の取得した楽曲データと補正用データとを取得する（ステップＳ４）。
【００４１】
そして、音色補正部９が、取得した補正用データに基づいて、取得した楽曲データを補正する（ステップＳ５）。
【００４２】
次に、音場補正部１２が、位置情報記憶部１３の記憶した位置情報に基づいて楽曲データを補正する（ステップＳ６）。
【００４３】
次いで、補正された楽曲データがデータ出力部１１によって楽曲再生手段６に出力され、楽曲再生手段６によって、補正された楽曲データが表わす楽曲が再生される（ステップＳ７）。
【００４４】
次いで、判定部１０は、選択部７が順序情報テーブルに記載されたすべての楽曲データを選択したか否かを判定する（ステップＳ８）。このとき、判定部１０が、選択部７によって選択されていない楽曲データが存在すると判定したときは、順序情報テーブルに記載された順序にしたがって次の楽曲データを選択する。一方、判定部１０が、すべての楽曲データが選択部７によって選択されたと判定したときは、動作を終了する。
【００４５】
なお、本実施の形態は、４つのデータ取得部を備えた音響機器について説明したが、４つのデータ取得部を備えることに限定されるものではなく、データ取得部の数が車両の大きさや定員に基づいて定まるようにしてもよい。また、夫々のデータ取得部が複数の記憶媒体を挿入する構成にしてもよい。
【産業上の利用可能性】
【００４６】
以上のように、本発明にかかる音響機器は、楽曲データと補正用データとが記憶された記憶媒体をデータ取得部に挿入すると、利用者の好みの音色で楽曲を再生することができるという効果を有し、利用者が楽曲を聞く場合に楽曲の音色を容易に変更することが可能な音響機器として有用である。
【図面の簡単な説明】
【００４７】
【図１】本発明の一実施の形態の音響機器の構成を示すブロック図
【図２】本発明の一実施の形態の音響機器の動作説明のためのフローチャート
【図３】従来の音響機器を示すブロック図
【符号の説明】
【００４８】
１  音響機器
２ａ、２ｂ、２ｃ、２ｄ  記憶媒体
３ａ、３ｂ、３ｃ、３ｄ  データ取得部
４  音響処理手段
５  順序情報入力部
６  楽曲再生手段
７  選択部
８  順序情報記憶部
９  音色補正部
１０  判定部
１１  データ出力部
１２  音場補正部
１３  位置情報記憶部
２１  音響機器
２２  記憶媒体
２３  音場補正手段
２４  データ記憶手段
２５  選択手段
２６  出力手段
２７  楽曲再生手段
【図１】
2006094163.tif 000003
【図２】
2006094163.tif 000004
【図３】
2006094163.tif 000005